(57)【特許請求の範囲】
【請求項１】
少なくともひとつの冷凍室と、前記冷凍室に設けた冷凍用冷却器と、少なくともひとつの冷蔵室と、前記冷蔵室に設けた冷蔵用冷却器と、前記冷凍室と前記冷蔵室を独立して構成した冷蔵庫本体と、圧縮機，凝縮器，絞り装置，前記冷蔵用冷却器，前記冷凍用冷却器とを順次接続した冷凍サイクルと、前記冷凍用冷却器と前記冷蔵用冷却器とにより熱交換した冷気を前記冷凍室と前記冷蔵室に供給するようそれぞれ配置された冷凍室送風ファンと、冷蔵室送風ファンと、前記冷蔵室内の空気を前記冷蔵用冷却器に導く吸込ダクトと、前記冷蔵用冷却器により冷却された冷気を前記冷蔵室内へ導く吐出ダクトと、前記冷蔵用冷却器と前記冷蔵室送風ファンと吸込ダクトと吐出ダクトとで構成される冷蔵用冷却器室とを有し、前記吸込ダクトは逆Ｕ字型の風路を形成し、前記吸込ダクトの風路の下流側に前記冷蔵用冷却器を配設し、空気を前記冷蔵用冷却器上部から吸入し、下部より吐出することを特徴とする冷凍冷蔵庫。
【請求項２】
上部のフィンピッチが広く、下部のフィンピッチが狭い冷蔵用冷却器を備えることを特徴とする請求項１記載の冷凍冷蔵庫。
【請求項３】
冷蔵用冷却器を表面に撥水処理を施した撥水冷蔵用冷却器とし、圧縮機停止中にも冷蔵室送風ファンを運転することを特徴とする請求項１または２記載の冷凍冷蔵庫。
【請求項４】
冷蔵室送風ファンを回転数可変冷蔵室送風ファンとし、冷蔵用冷却器の温度を検知する冷蔵用冷却器温度検知手段とを備え、圧縮機停止からの前記回転数可変冷蔵室送風ファン運転時に、運転開始からの任意の時間における冷蔵用冷却器の温度が任意に設定した温度以下の場合、冷蔵用冷却器の温度が任意に設定した温度になるまで、前記回転数可変冷蔵室送風ファンの回転数を通常冷却時よりも上げて運転することを特徴とする請求項１から３のいずれか一項記載の冷凍冷蔵庫。
【発明の詳細な説明】
【０００１】
【発明の属する技術分野】
本発明は、冷凍室および冷蔵室に各々冷却器を備えた冷凍冷蔵庫において、冷蔵室内の温度低下の防止及び冷却効率の向上及び除霜効率の向上に関するものである。
【０００２】
【従来の技術】
従来の冷蔵庫は、特開平８−２４０３７３号公報にて知られるような構成を持っている。以下、図７を参考に従来の冷蔵庫の構成について説明を行う。
【０００３】
冷蔵庫本体１内には、中間壁部材３０によって上下部に仕切られた、食品を貯蔵する冷凍室３および冷蔵室２が形成されており、冷蔵庫本体１の全面には、冷凍室３および冷蔵室２を開閉させるドア５，４がそれぞれ装着されている。
【０００４】
冷凍室３の後側には、庫内から吸込された空気を冷媒の蒸発潜熱により冷却する冷凍用冷却器８が設けられており、冷凍用冷却器８の上側には冷凍用冷却器８により熱交換された冷気を冷凍室３内に循環させる、冷凍室送風ファン７がファンモータ３１の回転軸に設けられている。
【０００５】
冷蔵室２には内部空間を多数の空間に仕切ると伴に、貯蔵食品を載上する複数の棚３２が設けられており、冷蔵室２の上方には特定温度帯で特定食品を保管するための特鮮室３３が形成されている。
【０００６】
野菜室６の下部に位置する機械室には、圧縮機１１が設けられている。
冷蔵室２の後方には冷蔵室用冷気吐出手段３４が設けられており、特鮮室３３の後方には冷気吐出口３５を形成する特鮮室用ダクト部材３６が設けられている。また、特鮮室用ダクト部材３６の後方には、空気導入路３７を通して吸入された空気を熱交換する冷蔵用冷却器１０が設けられており、冷蔵用冷却器１０の上方には、空気導入路３７を通して吸入された空気を冷蔵用冷却器１０で熱交換し、冷気吐出口３５，３８を通して冷蔵室２および特鮮室３３に循環させるように、冷蔵室送風ファン９がファンモータ３９の回転軸に設けられている。
【０００７】
【発明が解決しようとする課題】
しかしながら上記従来の構成では、冷蔵室２の冷却が終了し冷蔵室送風ファン９が停止した後も、冷凍室３の冷却は続くため、冷蔵用冷却器１０内を流れる冷媒により冷蔵用冷却器１０近傍の空気は冷却され、冷却された空気は自然対流により冷蔵室冷却器１０よりも下に流れるので、冷気吐出口３８より冷蔵室２内に冷気が流出し、冷蔵室２内を設定温度以下に下げるという問題がある。
【０００８】
また、冷蔵室２内は食品から蒸発する水分が多いことや、ドア開閉頻度が高く外気侵入量が多いこと等から湿度が高いため、冷蔵用冷却器１０の着霜量が多く冷却効率が悪くなるという問題点がある。
【０００９】
本発明は従来の課題を解決するもので、冷蔵室２内が設定温度以下に下がることを防止し、冷蔵用冷却器１０の冷却効率及び除霜効率の向上による省エネを図ることが可能な冷凍冷蔵庫を提供することである。
【００１０】
【課題を解決するための手段】
この課題を解決するために本発明の冷蔵庫は、少なくともひとつの冷凍室と、前記冷凍室に設けた冷凍用冷却器と、少なくともひとつの冷蔵室と、前記冷蔵室に設けた冷蔵用冷却器と、前記冷凍室と前記冷蔵室を独立して構成した冷蔵庫本体と、圧縮機，凝縮器，絞り装置，前記冷蔵用冷却器，前記冷凍用冷却器とを順次接続した冷凍サイクルと、前記冷凍用冷却器と前記冷蔵用冷却器とにより熱交換した冷気を前記冷凍室と前記冷蔵室に供給するようそれぞれ配置された冷凍室送風ファンと、冷蔵室送風ファンと、前記冷蔵室内の空気を前記冷蔵用冷却器に導く吸込ダクトと、前記冷蔵用冷却器により冷却された冷気を前記冷蔵室内へ導く吐出ダクトと、前記冷蔵用冷却器と前記冷蔵室送風ファンと吸込ダクトと吐出ダクトとで構成される冷蔵用冷却器室とを有し、前記吸込ダクトは逆Ｕ字型の風路を形成し、前記吸込ダクトの風路の下流側に前記冷蔵用冷却器を配設し、空気を前記冷蔵用冷却器上部から吸入し、下部より吐出するように構成したものである。
【００１１】
これにより、冷蔵室送風ファン停止後の圧縮機運転時における、冷蔵用冷却器室からの冷気の流出による、冷蔵室内の冷えすぎを防止することができる。
【００１２】
また、冷蔵室冷却器上部のフィンピッチを広く、冷蔵室冷却器下部のフィンピッチを狭く構成したものである。
【００１３】
これにより、冷蔵室の冷却運転時における冷蔵用冷却器部での空気の流れは、重力と同じ方向になるので比重の重い高湿の空気は、下方へ流れやすく冷蔵用冷却器への着霜を均一化することができ、冷蔵用冷却器の冷却効率の向上および除霜効率を向上することができる。
【００１４】
また、冷蔵用冷却器を表面に撥水処理を施した撥水冷蔵用冷却器とし、圧縮機停止中にも冷蔵室送風ファンを運転するように構成したものである。
【００１５】
これにより、冷却運転時に冷蔵用冷却器へ着いた霜は、圧縮機停止中の冷蔵室送風ファン運転により昇華・融解する。冷蔵室送風ファン運転時の冷蔵用冷却器部における空気の流れが、重力と同じ方向であり、また、冷蔵用冷却器表面は撥水処理が施されているので、冷蔵用冷却器表面に残る水滴も冷蔵用冷却器下部にすべて落下し、再冷却時の着霜量を抑制できることから、冷蔵用冷却器の冷却効率の向上およびノンヒートデフロストが可能である。
【００１６】
また、冷蔵室送風ファンを回転数可変冷蔵室送風ファンとし、冷蔵用冷却器の温度を検知する冷蔵用冷却器温度検知手段とを備え、圧縮機停止からの前記回転数可変冷蔵室送風ファン運転時に、運転開始からの任意の時間における冷蔵用冷却器の温度が任意に設定した温度以下の場合、冷蔵用冷却器の温度が任意に設定した温度になるまで、前記回転数可変冷蔵室送風ファンの回転数を通常冷却時よりも上げて運転するように構成したものである。
【００１７】
これにより、過負荷時等のように圧縮機の停止時間が短く、冷蔵用冷却器への着霜量が多い場合においても、短時間で冷蔵用冷却器の除霜が可能である。
【００１８】
【発明の実施の形態】
本発明の請求項１に記載の発明は、少なくともひとつの冷凍室と、前記冷凍室に設けた冷凍用冷却器と、少なくともひとつの冷蔵室と、前記冷蔵室に設けた冷蔵用冷却器と、前記冷凍室と前記冷蔵室を独立して構成した冷蔵庫本体と、圧縮機，凝縮器，絞り装置，前記冷蔵用冷却器，前記冷凍用冷却器とを順次接続した冷凍サイクルと、前記冷凍用冷却器と前記冷蔵用冷却器とにより熱交換した冷気を前記冷凍室と前記冷蔵室に供給するようそれぞれ配置された冷凍室送風ファンと、冷蔵室送風ファンと、前記冷蔵室内の空気を前記冷蔵用冷却器に導く吸込ダクトと、前記冷蔵用冷却器により冷却された冷気を前記冷蔵室内へ導く吐出ダクトと、前記冷蔵用冷却器と前記冷蔵室送風ファンと吸込ダクトと吐出ダクトとで構成される冷蔵用冷却器室とを有し、前記吸込ダクトは逆Ｕ字型の風路を形成し、前記吸込ダクトの風路の下流側に前記冷蔵用冷却器を配設し、空気を前記冷蔵用冷却器上部から吸入し、下部より吐出することを特徴とする冷凍冷蔵庫であり、冷蔵室送風ファン停止後の圧縮機運転時における、冷蔵用冷却器からの冷気は、吐出ダクト側に流れ吐出ダクト内で停滞するという作用を有する。
【００１９】
本発明の請求項２に記載の発明は、上部のフィンピッチを広く、下部のフィンピッチが狭い冷蔵用冷却器を備えることを特徴とする請求項１記載の冷凍冷蔵庫であり、冷蔵室冷却器部における空気は、冷却器上部から下部へ重力と同じ方向に流れ、空気中に含まれていた水分は冷蔵室冷却器に均一に着霜するという作用を有する。
【００２０】
本発明の請求項３に記載の発明は、冷蔵用冷却器を表面に撥水処理を施した撥水冷蔵用冷却器とし、圧縮機停止中にも冷蔵室送風ファンを運転することを特徴とする請求項１または２記載の冷凍冷蔵庫であり、圧縮機停止中の冷蔵室送風ファン運転時に冷却運転時についた霜を昇華・融解させると伴に、冷蔵用冷却器表面に残った水滴もすべて冷蔵用冷却器下部に落下させるという作用を有する。
【００２１】
本発明の請求項４に記載の発明は、冷蔵室送風ファンを回転数可変冷蔵室送風ファンとし、冷蔵用冷却器の温度を検知する冷蔵用冷却器温度検知手段とを備え、圧縮機停止からの前記回転数可変冷蔵室送風ファン運転時に、運転開始からの任意の時間における冷蔵用冷却器の温度が任意に設定した温度以下の場合、冷蔵用冷却器の温度が任意に設定した温度になるまで、前記回転数可変冷蔵室送風ファンの回転数を通常冷却時よりも上げて運転することを特徴とする請求項１から３のいずれか一項記載の冷凍冷蔵庫であり、過負荷時等のように冷蔵用冷却器への着霜量が多い場合であっても、回転数可変冷蔵室送風ファンの回転数が上がり風量が増加するので、短時間で冷蔵用冷却器の除霜を行うという作用を有する。
【００２２】
以下、本発明の実施の形態について、図１〜図６を用いて説明する。但し、従来と同一構成については、同一の符号を付し、詳細な説明を省略する。
【００２３】
（実施の形態１）
図１は、本発明の冷蔵庫の第一の実施例の断面概略図、図２は同実施の形態による冷却システム図である。
【００２４】
１は冷凍冷蔵庫本体であり、上方部に冷蔵室２を、下方部に冷凍室３を配置してある。冷凍室３にはバケット１９が内蔵されており、食品等の収納物はバケット１９内に収納されて用いられるものである。
【００２５】
冷凍室３内の背面部には、冷凍用冷却器室２１が形成されている。この冷凍用冷却器室２１内には、冷気を生成する冷凍用冷却器８と冷気を送風する冷凍室送風ファン７が配設されている。
【００２６】
また、冷蔵室２内は仕切板によって、いくつかの収納区分に区切られており、食品等が収納されて用いられる。
【００２７】
冷蔵室２内の背面部上部には、冷蔵用冷却器室２０が形成されている。この冷蔵用冷却器室２０内には、冷気を生成する冷蔵用冷却器１０と冷気を送風する冷蔵室送風ファン９と冷蔵室２内の空気を冷蔵用冷却器１０に導く吸込ダクト１５と冷蔵用冷却器１０で熱交換し冷却された空気を冷蔵室２内へ導く吐出ダクト１６が配設されている。
【００２８】
冷蔵室送風ファン９は、冷蔵用冷却器室２０内の上部に配設されており、ファンリング下部１７は、冷蔵用冷却器１０上端よりも高い位置に配設されている。
【００２９】
吸込ダクト１５は、冷蔵用冷却器１０の手前に配設されており、冷蔵室２内に開口している吸込口１４から冷蔵用冷却器１０上部につながる。
【００３０】
吐出ダクト１６は、冷蔵用冷却器１０の奥に配設されており、冷蔵用冷却器１０下部からファンリング下部１７，吐出口１８を経由して冷蔵室２内につながる。
【００３１】
また、圧縮機１１，凝縮器１２，絞り装置１３，冷蔵用冷却器１０，冷凍用冷却器８とを順次接続して冷凍サイクル６を形成している。
【００３２】
上記の構成において、冷蔵室２を冷却するときは、圧縮機１１及び冷蔵室送風ファン９が運転を開始し、冷蔵用冷却器１０内に冷媒が送られる。冷蔵室２内の空気は、吸込口１４より吸い込まれ吸込ダクト１５を通り冷蔵用冷却器１０へ送られ、冷蔵用冷却器１０内冷媒の蒸発潜熱により冷却される。冷蔵用冷却器１０で冷却された空気は、吐出ダクト１６を通り吐出口１８から冷蔵室２内へ吐出される。このような、冷蔵室送風ファン９の運転による空気の循環により、冷蔵室２内は設定温度まで冷却される。
【００３３】
そして、冷蔵室２の温度が設定温度になると、冷蔵室送風ファン９は運転を停止し、冷蔵室２内の空気の循環も止まる。しかし、圧縮機１１は冷凍室３の冷却のため運転を続けるので、冷蔵用冷却器１０内の冷媒の流れも冷凍室３が設定温度になるまで続く。この冷媒の流れにより、冷蔵用冷却器１０近傍の空気が冷却される。冷却された空気は比重が増加し、冷蔵用冷却器１０の下部へ流れる自然対流による空気の流れが発生する。冷蔵用冷却器１０からの空気は吐出ダクト１６内に流れてくるが、ファンリング下部１７の位置が冷蔵用冷却器１０上端よりも高い位置に配設されているため、吐出ダクト１６内で空気の流れは停滞する。
【００３４】
以上のように、冷蔵室送風ファン９運転停止後の圧縮機１１運転時において、冷蔵用冷却器１０で冷却された冷気は、自然対流により冷蔵用冷却器１０の下部へ流れるので、吸込口１４より冷蔵室２内へ流出することはない。また、冷蔵用冷却器１０下部から吐出ダクト１６へ流れる冷気も吐出ダクト１６内で停滞するので、吐出口１８から冷蔵室２内へ流出することもなく、冷蔵室２の温度が設定温度以下になることを防止することができる。
【００３５】
（実施の形態２）
図３は、本発明の冷蔵庫の第２の実施例の冷蔵用冷却器の正面図と冷蔵用冷却器室の拡大図である。
【００３６】
冷蔵室冷却器１０のフィンピッチは、設置方向に対して上部が広く下部へ行くに従い徐々に狭くなるように構成したものである。また、冷蔵室送風ファン９運転時における冷蔵用冷却器１０部での空気の流れは、冷蔵室２内より吸い込まれた空気がフィンピッチの広い上部から流れ、冷蔵室冷却器１０で冷却された空気がフィンピッチの狭い下部より吐出される。
【００３７】
以上のように、冷蔵室冷却器１０のフィンピッチを設置方向に対して上部が広く下部へ行くに従い徐々に狭くすることで、冷蔵用冷却器１０への着霜を均一化することができ、冷蔵用冷却器１０の冷却効率の向上および除霜効率を向上することができる。
【００３８】
なお、図３に示す冷蔵用冷却器１０のプレートフィンは３段であるが、２段以上であれば同様の効果がある。
【００３９】
（実施の形態３）
図４は、本発明の冷蔵庫の第３の実施例の撥水冷蔵用冷却器の正面図と撥水冷蔵用冷却器の細部拡大図である。
【００４０】
撥水冷蔵用冷却器２２は、プレートフィン２３と冷媒配管２４により構成されている。プレートフィン２３と冷媒配管２４の表面には、撥水性塗膜が施されており着霜を抑制するものである。
【００４１】
図５は、本発明の冷蔵庫の第３の実施例のタイムチャートである。以下その動作について図面を参考に説明する。
【００４２】
冷凍室温度検知手段２７の検知温度が、予め設定された所定の冷凍室温度の温度範囲の上限を越えると、圧縮機１１及び冷凍室送風ファン７が運転を開始する。このとき、冷蔵室温度検知手段２６の検知温度も、予め設定された所定の冷蔵室温度の温度範囲の上限を越えていれば、冷蔵室送風ファン９も運転を開始する。これにより、撥水冷蔵用冷却器２２及び冷凍用冷却器８内に冷媒が送られ、冷凍室３及び冷蔵室２の冷却が始まる。冷凍室温度検知手段２７及び冷蔵室温度検知手段２６の検知温度が、予め設定された所定の温度範囲の下限を越えると、冷蔵室送風ファン７及び冷蔵室送風ファン９は各々運転を停止し、圧縮機１１も運転を停止する。圧縮機１１が停止すると、冷蔵室送風ファン９の運転を再び開始する。冷却器温度検知手段２８の検知温度が、予め設定された所定の冷却器温度を越えると冷蔵室送風ファン９は運転を停止する。本発明の請求項４に係る真空断熱材または真空断熱体の再資源化処理方法は、冷蔵庫を形成する断熱箱体を破砕する破砕工程と、前記破砕工程に続いて前記断熱箱体から芯材と外被材がともにポリエステル樹脂材料からなる真空断熱材または芯材と内箱，外箱がともにポリエステル樹脂材料からなる真空断熱体を分離する分離処理工程と、分離された前記真空断熱材の芯材および外被材または前記真空断熱体の芯材および内箱，外箱を回収する真空断熱材処理工程と、回収された前記芯材および外被材、または、芯材および内箱，外箱を真空断熱材または真空断熱体に使用する樹脂再生品として再生する再原料化製造工程を含むものである。
【００４３】
以上のように、冷却運転時に撥水冷蔵用冷却器２２へ着いた霜は、圧縮機１１停止中の冷蔵室送風ファン９運転により昇華・融解する。冷蔵室送風ファン９運転時の撥水冷蔵用冷却器２２部における空気の流れが、重力と同じ方向であり、また、撥水冷蔵用冷却器２２表面は撥水処理が施されているので、撥水冷蔵用冷却器２２表面に残る水滴も撥水冷蔵用冷却器２２下部にすべて落下し、再冷却時の着霜量を抑制できることから、撥水冷蔵用冷却器２２の冷却効率を向上させることが可能である。
【００４４】
また、冷蔵室のノンヒートデフロストにより、除霜時の庫内温度上昇を防止でき、温度変動幅を小さくすることが可能である。
【００４５】
なお、本発明の冷蔵庫の撥水冷蔵用冷却器２２は、フィンコイル式熱交換器であるがこれに限定されるものではない。
【００４６】
（実施の形態４）
図６は、本発明の冷蔵庫の第４の実施例のタイムチャートである。以下その動作について図面を参考に説明する。
【００４７】
冷凍室温度検知手段２７の検知温度が、予め設定された所定の冷凍室温度の温度範囲の上限を越えると、圧縮機１１及び冷凍室送風ファン７が運転を開始する。このとき、冷蔵室温度検知手段２６の検知温度も、予め設定された所定の冷蔵室温度の温度範囲の上限を越えていれば、冷蔵室送風ファン９も運転を開始する。これにより、撥水冷蔵用冷却器２２及び冷凍用冷却器８内に冷媒が送られ、冷凍室３及び冷蔵室２の冷却が始まる。冷凍室温度検知手段２７及び冷蔵室温度検知手段２６の検知温度が、予め設定された所定の温度範囲の下限を越えると、冷蔵室送風ファン７及び冷蔵室送風ファン９は各々運転を停止する。圧縮機１１は、冷蔵室送風ファン７と同時に運転を停止する。圧縮機１１が停止すると、冷蔵室送風ファン９の運転を再び開始する。冷蔵室送風ファン９の運転開始からの任意の時間における撥水冷蔵用冷却器２２の温度上昇が任意の値以下の場合、冷蔵室送風ファン９の回転数を上げ運転を続ける。冷却器温度検知手段２８の検知温度が、予め設定された所定の冷却器温度を越えると冷蔵室送風ファン９は運転を停止する。
【００４８】
以上のように、撥水冷蔵用冷却器２２への着霜量が多い場合であっても、冷蔵室送風ファン９の回転数を上げて、風量を増加させるので撥水冷蔵用冷却器２２の霜による目詰まりを防止し、冷却効率を向上させることが可能である。
【００４９】
また、過負荷時等のように圧縮機１１の停止時間が短く、撥水冷蔵用冷却器２２への着霜量が多い場合においても、短時間で撥水冷蔵用冷却器２２の除霜が可能である。
【００５０】
【発明の効果】
以上のように本発明のによれば、少なくともひとつの冷凍室と、前記冷凍室に設けた冷凍用冷却器と、少なくともひとつの冷蔵室と、前記冷蔵室に設けた冷蔵用冷却器と、前記冷凍室と前記冷蔵室を独立して構成した冷蔵庫本体と、圧縮機，凝縮器，絞り装置，前記冷蔵用冷却器，前記冷凍用冷却器とを順次接続した冷凍サイクルと、前記冷凍用冷却器と前記冷蔵用冷却器とにより熱交換した冷気を前記冷凍室と前記冷蔵室に供給するようそれぞれ配置された冷凍室送風ファンと、冷蔵室送風ファンと、前記冷蔵室内の空気を前記冷蔵用冷却器に導く吸込ダクトと、前記冷蔵用冷却器により冷却された冷気を前記冷蔵室内へ導く吐出ダクトと、前記冷蔵用冷却器と前記冷蔵室送風ファンと吸込ダクトと吐出ダクトとで構成される冷蔵用冷却器室とを有し、前記吸込ダクトは逆Ｕ字型の風路を形成し、前記吸込ダクトの風路の下流側に前記冷蔵用冷却器を配設し、空気を前記冷蔵用冷却器上部から吸入し、下部より吐出する構成により、冷蔵室送風ファン停止後の圧縮機運転時における、冷蔵用冷却器室からの冷気の流出はなくなり、冷蔵室の庫内温度を適正に保つことができるという効果を有する。
【００５１】
また、冷蔵室冷却器上部のフィンピッチを広く、冷蔵室冷却器下部のフィンピッチを狭くした構成により、冷蔵室冷却器部においては、重力の作用する方向に空気が流れ、空気の流れに従い徐々にフィンピッチが狭まるので、冷蔵用冷却器への着霜が均一化される。これより、冷却運転時の風量が確保され、冷蔵室冷却器の熱交換を高効率に維持できる。併せて、冷蔵用冷却器の除霜周期を延長することができるという効果を有する。
【００５２】
さらに、冷蔵用冷却器を表面に撥水処理を施した撥水冷蔵用冷却器とし、圧縮機停止中にも冷蔵室送風ファンを運転する構成により、冷却運転時の冷蔵用冷却器の熱交換を常に高効率に保つことができる。また、冷蔵用冷却器のヒータによる除霜の必要がないので、消費電力量を低減できる。併せて、除霜時の庫内温度上昇を抑制できるという効果を有する。
【００５３】
さらにまた、冷蔵室送風ファンを回転数可変冷蔵室送風ファンとし、冷蔵用冷却器の温度を検知する冷蔵用冷却器温度検知手段とを備え、圧縮機停止からの前記回転数可変冷蔵室送風ファン運転時に、運転開始からの任意の時間における冷蔵用冷却器の温度が任意に設定した温度以下の場合、冷蔵用冷却器の温度が任意に設定した温度になるまで、前記回転数可変冷蔵室送風ファンの回転数を通常冷却時よりも上げて運転する構成により、過負荷時等のように圧縮機の停止時間が短く、冷蔵用冷却器への着霜量が多い場合においても、短時間で冷蔵用冷却器の除霜を行うことができるという効果を有する。
【図面の簡単な説明】
【図１】本発明による冷蔵庫の第一の実施例の断面概略図
【図２】本発明による冷蔵庫の第一の実施例の冷凍システム図
【図３】本発明による冷蔵庫の第二の実施例の冷蔵室冷却器正面図
【図４】本発明による冷蔵庫の第三の実施例の冷蔵室冷却器正面図
【図５】本発明による冷蔵庫の第三の実施例のタイムチャート
【図６】本発明による冷蔵庫の第四の実施例のタイムチャート
【図７】従来の冷蔵庫の断面概略図
【符号の説明】
１  冷蔵庫本体
２  冷蔵室
３  冷凍室
６  冷凍サイクル
７  冷凍室送風ファン
８  冷凍用冷却器
９  冷蔵室送風ファン
１０  冷蔵用冷却器
１１  圧縮機
１２  凝縮器
１３  絞り装置
１５  吸込ダクト
１６  吐出ダクト
２０  冷蔵用冷却器室
２２  撥水冷蔵用冷却器
２６  冷蔵室温度検知手段
２７  冷凍室温度検知手段
２８  冷却器温度検知手段
【図１】
0003734922.tif 000002
【図２】
0003734922.tif 000003
【図３】
0003734922.tif 000004
【図４】
0003734922.tif 000005
【図５】
0003734922.tif 000006
【図６】
0003734922.tif 000007
【図７】
0003734922.tif 000008